(57)【要約】【課題】  板ガラスの上下左右方向及び前後方向における位置安定性を確保するとともに、板ガラスの撓みや振動に対する吸収性の向上を図る。【解決手段】  左右の縦枠４、５と、左右両縦枠４、５間の上部及び下部をそれぞれ連結する上下の横枠６、７とにより枠組みした扉枠体２内に、板ガラス２の外周端縁部２ａを嵌め込んで組付けたガラス扉１において、左右両縦枠４、５並びに上下両横枠６、７の各々の内側面に、長手方向に延びるガラス挿入溝１０をそれぞれ設け、ガラス挿入溝１０の内底面１０ａに、板ガラス２の外周端縁部２ａを長手方向に亘って保持する、第１の保持部材１１と、ガラス挿入溝１０における開口縁部１０ｂの前後両面に、板ガラス２における外周端縁部２ａの前後両面を長手方向に亘って保持する、前後１対の第２の保持部材１４、１４とを設けるとともに、第２の保持部材１４を、第１の保持部材１１よりも軟らかくする。【選択図】  図２
2005248565.tif 000002
【特許請求の範囲】
【請求項１】
左右の縦枠と、この左右両縦枠間の上部及び下部をそれぞれ連結する上下の横枠とにより枠組みした扉枠体内に、板ガラスの外周端縁部を嵌め込んで組付けたガラス扉において、
前記左右両縦枠並びに前記上下両横枠における各々の内側面に、長手方向に延びるガラス挿入溝を設け、この各ガラス挿入溝の内底面に、前記板ガラスの外周端縁部を長手方向に亘って保持する第１の保持部材と、前記ガラス挿入溝における前後の開口縁部に、前記板ガラスにおける外周端縁部の前後両面を、長手方向に亘って挟み込み保持する前後１対の第２の保持部材とを設けるとともに、
前記第２の保持部材を、前記第１の保持部材よりも軟質のものとしたことを特徴とするガラス扉。
【請求項２】
前記左右両縦枠における前記第１の保持部材を、前後方向に不動にするとともに、前記上下両横枠における前記第１の保持部材を、前後方向に可動としたことを特徴とする請求項１に記載のガラス扉。
【請求項３】
前記上下両横枠における前記第１の保持部材の前後両面に、隙間を設けたことを特徴とする請求項１または２に記載のガラス扉。
【請求項４】
前記第１の保持部材に、前記板ガラスの外周端縁部と嵌合する嵌合溝を設けたことを特徴とする請求項１〜３のいずれかに記載のガラス扉。
【請求項５】
前記左右両縦枠における前記第１の保持部材における前記ガラス挿入溝の内底面と対向する面に、凹溝を設けるとともに、この凹溝内に装着した両面粘着テープまたは接着剤の塗布をもって、前記第１の保持部材を、前記ガラス挿入溝の内底面に固着したことを特徴とする請求項１〜４のいずれかに記載のガラス扉。
【発明の詳細な説明】
【技術分野】
【０００１】
本発明は、ガラス扉に係り、特に、扉枠体内に組み付けられる板ガラスの組付構造に関する。
【背景技術】
【０００２】
例えば、オフィスやショールーム等において、室内における間仕切壁の出入り口に、ガラス扉を取り付けたものがある。
【０００３】
この種のガラス扉は、通常、扉枠体を構成する左右の縦枠及び上下の横枠の溝内に、ガスケット等を介して、板ガラスの外周端縁部を嵌め込んで組み付けられており、組付け後、板ガラスの外周に、コーキング処理やシール材を施している（たとえば特許文献１）。しかし、このようなコーキング処理等では、板ガラスの前後方向における位置が固定されており、板ガラスの撓みや振動に対する吸収性において、不充分である。
【特許文献１】特開２００３−３３６３３７号公報
【発明の開示】
【発明が解決しようとする課題】
【０００４】
本発明は、板ガラスの上下左右方向及び前後方向における位置安定性を確保するとともに、板ガラスの撓みや振動に対する吸収性を向上させることができるようにしたガラス扉を提供することを目的としている。
【課題を解決するための手段】
【０００５】
本発明によると、前記課題は、次の各項に記載の発明に基づいて解決される。
（１）左右の縦枠と、この左右両縦枠間の上部及び下部をそれぞれ連結する上下の横枠とにより枠組みした扉枠体内に、板ガラスの外周端縁部を嵌め込んで組付けたガラス扉において、前記左右両縦枠並びに前記上下両横枠における各々の内側面に、長手方向に延びるガラス挿入溝を設け、この各ガラス挿入溝の内底面に、前記板ガラスの外周端縁部を長手方向に亘って保持する第１の保持部材と、前記ガラス挿入溝における前後の開口縁部に、前記板ガラスにおける外周端縁部の前後両面を、長手方向に亘って挟み込み保持する前後１対の第２の保持部材とを設けるとともに、前記第２の保持部材を、前記第１の保持部材よりも軟質のものとする。  
【０００６】
（２）上記(１)項において、前記左右両縦枠における前記第１の保持部材を、前後方向に不動にするとともに、前記上下両横枠における前記第１の保持部材を、前後方向に可動とする。
【０００７】
（３）上記(１)項または(２)項において、前記上下両横枠における前記第１の保持部材の前後両面に、隙間を設ける。
【０００８】
（４）上記(１)項〜(３)項のいずれかにおいて、前記第１の保持部材に、前記板ガラスの外周端縁部と嵌合する嵌合溝を設ける。
【０００９】
（５）上記(１)項〜(４)項のいずれかにおいて、前記左右両縦枠における前記第１の保持部材における前記ガラス挿入溝の内底面と対向する面に、凹溝を設けるとともに、この凹溝内に装着した両面粘着テープまたは接着剤の塗布をもって、前記第１の保持部材を、前記ガラス挿入溝の内底面に固着する。
【発明の効果】
【００１０】
ａ）上記(１)項記載の発明によると、第１の保持部材によって、板ガラスの上下左右方向における位置安定性を確保することができ、かつ第２の保持部材によって、板ガラスの前後方向における撓みや振動を吸収することができる。
【００１１】
ｂ）上記(２)項記載の発明によると、左右両縦枠における第１の保持部材が、前後方向に不動であるため、板ガラスの前後方向における位置を安定させることができ、かつ上下両横枠における第１の保持部材が、前後方向に可動であるため、板ガラスの前後方向における撓みや振動を吸収することができる。
【００１２】
ｃ）上記(３)項記載の発明によると、板ガラスの前後方向における撓みや振動を、一層良好に吸収することができる。
【００１３】
ｄ）上記(４)項記載の発明によると、板ガラスの外周端縁部を、第１の保持部材に、容易に一体的に嵌合させることができる。
【００１４】
ｅ）上記(５)項記載の発明によると、板ガラスの前後方向における位置を、より安定させることができる。
【発明を実施するための最良の形態】
【００１５】
以下、本発明を図面に基づいて詳細に説明する。図１は、本発明を用いた室内における間仕切壁の出入り口構造の一実施形態を概略的に示す正面図、図２は、図１のII−II線におけるガラス扉の拡大横断面図、図３は、図１のIII−III線におけるガラス扉の拡大縦断面図である。なお、図２において、紙面の下側を「前方」、上側を「後方」として、以下に説明する。
【実施例】
【００１６】
実施形態のガラス扉(１)は、図１に示すように、例えば、オフィスやショールーム等の室内における間仕切壁(Ｐ)に設けた出入り口(Ｅ)を、片引式に開閉するように建て付けられている。
【００１７】
ガラス扉(１)は、正面視縦長矩形状をなす板ガラス(２)が組み付けられる扉枠体(３)を備えており、この扉枠体(３)は、左右両側の縦枠(４)(５)と、これら左右の縦枠(４)(５)間の上部及び下部同士ををそれぞれ連結する上下の横枠(６)(７)とで枠組みされており、左側縦枠(４)における左側端縁の前後両面には、図２に示すように、上下の長手方向に沿って、引手(８)(９)が、それぞれ一体に突出させて形成されている。
【００１８】
図２及び図３に示すように、前記左右両縦枠(４)(５)の各内側面(4a)(5a)、並びに前記上下両横枠(６)(７)の各内側面(6a)(7a)には、長手方向に延びるガラス挿入溝(10)がそれぞれ設けられている。
【００１９】
前記ガラス挿入溝(10)の内底面(10a)には、保持部材としての第１のガスケット(11)が設けられており、この第１のガスケット(11)の表面には、前記板ガラス(２)における四辺の外周端縁部(2a)を嵌合させて長手方向に亘って保持する、嵌合溝(12)が形成されており、かつガラス挿入溝(10)の内底面(10a)に対向する面である裏面には、前記嵌合溝(12)よりも浅い凹溝(13)が形成されている。
【００２０】
前記ガラス挿入溝(10)における前後の開口縁部(10b)(10b)には、保持部材としての前後１対の第２のガスケット(14)(14)が設けられており、これら第２のガスケット(14)(14)は、前記板ガラス(２)における外周端縁部(2a)の前後両面を、長手方向に亘って挟み込み保持するようになっている。
【００２１】
前記第２のガスケット(14)(14)は、前記第１のガスケット(11)よりも軟らかい、オレフィン・エラストマ等の材質からなり、第１のガスケット(11)によって、前記板ガラス(２)の上下左右方向における位置安定性を確保することができるとともに、第２のガスケット(14)(14)によって、前記板ガラス(２)の前後方向における撓みや振動を吸収することができるようになっている。
【００２２】
また、図２に示すように、前記左右両縦枠(４)(５)に設けた第１のガスケット(11)の裏面は、前記ガラス挿入溝(10)の内底面(10a)に、両面粘着テープ(15)で固着され、前後方向に不動になっている。これによって、前記板ガラス(２)の前後方向における位置を安定させることができる。なお、前記両面粘着テープ(15)に代えて、接着剤の塗布を行ってもよい。
【００２３】
さらに、図３に示すように、前記上下両横枠(６)(７)のガラス挿入溝(10)に設けた第１のガスケット(11)は、前後方向に可動自在になっており、その前後両面と、前記ガラス挿入溝(10)における前後の内面(10c)(10c)との間に、隙間(図３において、符号ａで示す)を形成してある。この隙間によって、前記板ガラス(２)の前後方向における撓みや振動を吸収することができる。
【図面の簡単な説明】
【００２４】
【図１】本発明を用いた室内における間仕切壁の出入り口構造の一実施形態を概略的に示す正面図である。
【図２】図１のII−II線におけるガラス扉の拡大横断面図である。
【図３】図１のIII−III線におけるガラス扉の拡大縦断面図である。
【符号の説明】
【００２５】
(Ｐ)  室内の間仕切壁
(Ｅ)  出入り口
(１)  ガラス扉
(２)  板ガラス
(2a)  外周端縁部
(３)  扉枠体
(４)  左側縦枠
(4a)  内側面
(５)  右側縦枠
(5a)  内側面
(６)  上側横枠
(6a)  内側面
(７)  下側横枠
(7a)  内側面
(８)  引手
(９)  引手
(10)  ガラス挿入溝
(10a) 内底面
(10b) 開口縁部
(10c) 内面
(11)  第１のガスケット(保持部材)
(12)  嵌合溝
(13)  凹溝
(14)  第２のガスケット(保持部材)
(15)  両面粘着テープ
【図１】
2005248565.tif 000003
【図２】
2005248565.tif 000004
【図３】
2005248565.tif 000005